(57)【特許請求の範囲】
【請求項１】
画像データが入力される複数の入力部と、
白色点灯が可能な発光素子から構成される第１の発光手段と、
異なる色の複数の発光素子から構成され、前記複数の発光素子を点灯させることにより、白色点灯が可能な第２の発光手段と、
前記第１の発光手段と前記第２の発光手段の何れかから照射される光により画像表示可能な表示パネルと、
前記第１の発光手段と前記第２の発光手段のそれぞれの使用頻度を記録する記憶部と、
前記入力部ごとに、指定された目標値に応じて個別にキャリブレーションを行うキャリブレーション手段と、
前記入力部ごとに、前記第１の発光手段と前記第２の発光手段のうち、キャリブレーションの際に指定された目標値の表示を行うことが可能な発光手段を、画像表示に使用可能な発光手段として判断する判断手段と、
前記第１の発光手段と前記第２の発光手段の両方が画像表示に使用可能な入力部が選ばれた場合に、前記第１の発光手段と前記第２の発光手段の使用頻度を比較して使用頻度が低いほうの発光手段を発光させ、前記第１の発光手段と前記第２の発光手段のうちの一方の発光手段のみが画像表示に使用可能な入力部が選ばれた場合に、選ばれた入力部の、画像表示に使用可能な発光手段を発光させる制御手段と、
を有し、
前記キャリブレーション手段は、指定された目標値の表示を行うことが可能な発光手段を判断し、前記第１の発光手段と前記第２の発光手段の両方で前記目標値の表示が可能であると判断した場合は前記第１の発光手段と前記第２の発光手段についてそれぞれキャリブレーションを実行する
ことを特徴とする画像表示装置。
【請求項２】
前記判断手段は、キャリブレーションが行われていない入力部に対して、前記第１の発光手段と前記第２の発光手段の両方が画像表示に使用可能であると判断する
ことを特徴とする請求項１に記載の画像表示装置。
【請求項３】
画像データが入力される複数の入力部と、白色点灯が可能な発光素子から構成される第
１の発光手段と、異なる色の複数の発光素子から構成され、前記複数の発光素子を点灯させることにより、白色点灯が可能な第２の発光手段と、前記第１の発光手段と前記第２の発光手段の何れかから照射される光により画像表示可能な表示パネルと、記憶部と、を有する画像表示装置の制御方法であって、
前記第１の発光手段と前記第２の発光手段のそれぞれの使用頻度を前記記憶部に記録する記録ステップと、
前記入力部ごとに、指定された目標値に応じて個別にキャリブレーションを行うキャリブレーションステップと、
前記入力部ごとに、前記第１の発光手段と前記第２の発光手段のうち、キャリブレーションの際に指定された目標値の表示を行うことが可能な発光手段を、画像表示に使用可能な発光手段として判断する判断ステップと、
前記第１の発光手段と前記第２の発光手段の両方が画像表示に使用可能な入力部が選ばれた場合に、前記第１の発光手段と前記第２の発光手段の使用頻度を比較して使用頻度が低いほうの発光手段を発光させ、前記第１の発光手段と前記第２の発光手段のうちの一方の発光手段のみが画像表示に使用可能な入力部が選ばれた場合に、選ばれた入力部の、画像表示に使用可能な発光手段を発光させる制御ステップと、
を有し、
前記キャリブレーションステップでは、指定された目標値の表示を行うことが可能な発光手段を判断し、前記第１の発光手段と前記第２の発光手段の両方で前記目標値の表示が可能であると判断した場合は前記第１の発光手段と前記第２の発光手段についてそれぞれキャリブレーションを実行する
ことを特徴とする画像表示装置の制御方法。
【請求項４】
前記判断ステップでは、キャリブレーションが行われていない入力部に対して、前記第１の発光手段と前記第２の発光手段の両方が画像表示に使用可能であると判断する
ことを特徴とする請求項３に記載の画像表示装置の制御方法。
【発明の詳細な説明】
【技術分野】
【０００１】
本発明は画像表示装置およびその制御方法に関するものである。
【背景技術】
【０００２】
液晶パネルを用いた液晶表示装置の輝度および色再現能力への市場要求が高度化、多様化している。液晶表示装置のバックライト用の光源は冷陰極蛍光管が主流であるが、冷陰極蛍光管と比較し発光効率に優れる発光ダイオード（ＬＥＤ： Light Emitting Diode）
も採用され始めている。
ＬＥＤを用いたバックライト用の光源は白色バックライトとＲＧＢバックライトの２つに大別される。白色バックライトは単色の白色ＬＥＤにより構成される。ＲＧＢバックライトは赤色、緑色、および青色の３色のＬＥＤにより構成され、それらの混色によって白色光を得る。白色バックライトはＲＧＢバックライトと比較し高輝度を得やすいという利点をもつ。一方、ＲＧＢバックライトは白色バックライトと比較し広範囲の色域を再現しやすいという利点をもつ。
【０００３】
液晶表示装置の色再現能力を適切に設定する為に、液晶パネルで表示させる画像の画質モード設定に基づいて、白色バックライトとＲＧＢバックライトとを切換える光源制御技術が特許文献１に開示されている。
【先行技術文献】
【特許文献】
【０００４】
【特許文献１】特開２００７−２６４６５９号公報
【発明の概要】
【発明が解決しようとする課題】
【０００５】
白色バックライトとＲＧＢバックライトに代表される複数の光源（発光手段）を備える液晶表示装置において、光源の使用頻度が偏ると、よく使用される光源のみ輝度劣化が進んでしまう。結果として一方の光源は使用可能な状態にもかかわらず、他方の光源の劣化によって液晶表示装置が所望の性能を発揮できず使用できなくなるという課題があった。
そこで本発明は、複数の発光手段を備える画像表示装置において、発光手段の劣化の偏りを低減し、長期にわたり高品質な表示を行うことを可能にするための技術を提供することを目的とする。
【課題を解決するための手段】
【０００６】
本発明の第１態様は、画像データが入力される複数の入力部と、白色点灯が可能な発光素子から構成される第１の発光手段と、異なる色の複数の発光素子から構成され、前記複数の発光素子を点灯させることにより、白色点灯が可能な第２の発光手段と、前記第１の発光手段と前記第２の発光手段の何れかから照射される光により画像表示可能な表示パネルと、前記第１の発光手段と前記第２の発光手段のそれぞれの使用頻度を記録する記憶部と、前記入力部ごとに、指定された目標値に応じて個別にキャリブレーションを行うキャリブレーション手段と、前記入力部ごとに、前記第１の発光手段と前記第２の発光手段のうち、キャリブレーションの際に指定された目標値の表示を行うことが可能な発光手段を、画像表示に使用可能な発光手段として判断する判断手段と、前記第１の発光手段と前記第２の発光手段の両方が画像表示に使用可能な入力部が選ばれた場合に、前記第１の発光手段と前記第２の発光手段の使用頻度を比較して使用頻度が低いほうの発光手段を発光させ、前記第１の発光手段と前記第２の発光手段のうちの一方の発光手段のみが画像表示に使用可能な入力部が選ばれた場合に、選ばれた入力部の、画像表示に使用可能な発光手段を発光させる制御手段と、を有し、前記キャリブレーション手段は、指定された目標値の表示を行うことが可能な発光手段を判断し、前記第１の発光手段と前記第２の発光手段の両方で前記目標値の表示が可能であると判断した場合は前記第１の発光手段と前記第２の
発光手段についてそれぞれキャリブレーションを実行する画像表示装置を提供する。
【０００７】
本発明の第２態様は、画像データが入力される複数の入力部と、白色点灯が可能な発光素子から構成される第１の発光手段と、異なる色の複数の発光素子から構成され、前記複数の発光素子を点灯させることにより、白色点灯が可能な第２の発光手段と、前記第１の発光手段と前記第２の発光手段の何れかから照射される光により画像表示可能な表示パネルと、記憶部と、を有する画像表示装置の制御方法であって、前記第１の発光手段と前記第２の発光手段のそれぞれの使用頻度を前記記憶部に記録する記録ステップと、前記入力部ごとに、指定された目標値に応じて個別にキャリブレーションを行うキャリブレーションステップと、前記入力部ごとに、前記第１の発光手段と前記第２の発光手段のうち、キャリブレーションの際に指定された目標値の表示を行うことが可能な発光手段を、画像表示に使用可能な発光手段として判断する判断ステップと、前記第１の発光手段と前記第２の発光手段の両方が画像表示に使用可能な入力部が選ばれた場合に、前記第１の発光手段と前記第２の発光手段の使用頻度を比較して使用頻度が低いほうの発光手段を発光させ、前記第１の発光手段と前記第２の発光手段のうちの一方の発光手段のみが画像表示に使用可能な入力部が選ばれた場合に、選ばれた入力部の、画像表示に使用可能な発光手段を発光させる制御ステップと、を有し、前記キャリブレーションステップでは、指定された目標値の表示を行うことが可能な発光手段を判断し、前記第１の発光手段と前記第２の発光手段の両方で前記目標値の表示が可能であると判断した場合は前記第１の発光手段と前記第２の発光手段についてそれぞれキャリブレーションを実行する画像表示装置の制御方法を提供する。
【発明の効果】
【０００８】
本発明によれば、複数の発光手段を備える画像表示装置において、発光手段の劣化の偏りを低減し、長期にわたり高品質な表示を行うことができる。
【図面の簡単な説明】
【０００９】
【図１】液晶表示装置の主要な構成を示すブロック図。
【図２】バックライトの点灯制御のフロー例。
【図３】実施例２に係る液晶表示装置と映像入力装置と測色器の接続を示す図。
【図４】キャリブレーション動作時のキャリブレーションＰＣの動作フロー例。
【図５】キャリブレーション動作時の液晶表示装置の動作フロー例。
【図６】実施例２に係る光源候補選択テーブルの例。
【図７】実施例２に係る光源候補記憶テーブルの例。
【図８】実施例３に係る光源候補記憶テーブルの例。
【発明を実施するための形態】
【００１０】
本発明は、白色発光ダイオードから構成される白色バックライト（第１のバックライト）と、赤色、緑色、および青色の３色の発光ダイオードから構成されるＲＧＢバックライト（第２のバックライト）を備える液晶表示装置に関する。詳しくは、本発明は、このような液晶表示装置におけるバックライトの点灯制御技術に関する。以下に本発明による液晶表示装置およびその制御方法の好適な実施形態について述べる。
【００１１】
［実施例１］
本発明の実施例１について、図を用いて以下に説明する。実施例１は、白色バックライトとＲＧＢバックライトのそれぞれの使用頻度を比較し、使用頻度が低いほうのバックライトを優先的に点灯させる例である。
【００１２】
図１は液晶表示装置の主要な構成を示すブロック図である。液晶表示装置１０１は、液晶パネル１０７と、２種類の光源であるＲＧＢバックライト１１４および白色バックライト１１５を有している。また、液晶表示装置１０１は、液晶パネル１０７を駆動する液晶駆動部１０６、両方のバックライトを駆動するバックライト駆動部１１３、装置全体を制御する制御手段としてのシステム制御部１１２を有する。さらに液晶表示装置１０１は、映像入力部（１）１０２、映像入力部（２）１０３、入力制御部１０４、映像処理部１０５、データ送受信部１０８、データ送受信制御部１０９、記憶部１１０、タイマー部１１１、電源ボタン１１８、入力切換ボタン１１９を有する。
【００１３】
先ず液晶表示装置１０１の基本的な映像表示機能について説明する。
（電源オンから映像表示までの処理）
ユーザにより電源ボタン１１８が押下されると、電源オン要求がシステム制御部１１２に送られる。システム制御部１１２は、電源オン要求を検出すると、液晶表示装置１０１内の各ブロックに通電を開始する。
通電後、システム制御部１１２は記憶部１１０から前回電源をオフした時の映像入力選択情報を読み出す。映像入力選択情報とは、表示中の映像が映像入力部（１）１０２、映像入力部（２）１０３どちらからの入力であるかを識別する為の情報である。システム制御部１１２は映像入力部（１）１０２と映像入力部（２）１０３の何れの映像入力を選択するかを決定し、入力制御部１０４に入力切換えを要求する。切換えが完了するとシステム制御部１１２は映像入力選択情報を更新し、記憶部１１０に保存する。なお図１では２つの映像入力部が示されているが、映像入力部の数は１つでもよいし、２つより多くてもよい。
【００１４】
またシステム制御部１１２はバックライト駆動部１１３に対するバックライト点灯制御要求を行い、ＲＧＢバックライト１１４と白色バックライト１１５の何れか一方を点灯させる。ＲＧＢバックライト１１４と白色バックライト１１５のどちらの光源を使用するかの決定方法については後述する。
【００１５】
入力制御部１０４は、選択された映像入力部から入力される映像信号を映像処理部１０５に伝送する。映像処理部１０５は、映像信号に基づき、液晶パネル１０７の表示解像度、表示色数、リフレッシュレートに適した表示データおよびタイミング信号を生成し、液晶駆動部１０６に伝送する。液晶駆動部１０６は映像処理部１０５から受信したデータを液晶パネル１０７の制御信号に変換し、液晶パネル１０７を制御する。これにより液晶パネル１０７に映像が表示される。
【００１６】
（映像入力の切換え）
ユーザにより入力切換ボタン１１９が押下されると、入力切換要求がシステム制御部１１２に送られる。システム制御部１１２は、入力切換要求を検出すると、記憶部１１０から映像入力選択情報を読み出す。システム制御部１１２は、入力切換要求に従ってどちらの映像入力を選択するかを決定し、入力制御部１０４に入力切換えを要求する。切換えが完了するとシステム制御部１１２は映像入力選択情報を更新し、記憶部１１０に保存する。
【００１７】
（バックライトの使用頻度の記録）
ＲＧＢバックライト１１４と白色バックライト１１５のそれぞれの使用頻度情報が、記憶部１１０に記録される。使用頻度情報の作成・更新はシステム制御部１１２によって行われる。具体的には、システム制御部１１２は、いずれかのバックライトの点灯を開始すると、タイマー部１１１を用いて点灯時間（使用時間）を計測し、その計測結果に基づいて記憶部１１０内の使用頻度情報を更新する。更新のタイミングは電源オフ時、映像入力の切換え時、チャンネル切換え時などでもよいし、一定の時間間隔で更新してもよい。
【００１８】
ここで、使用頻度情報は、累積使用時間（使用時間の合計）でもよいし、使用時間と輝度（発光量）から算出される情報でもよい。前者の場合は、システム制御部１１２はタイマー部１１１で計測した点灯時間を記憶部１１０内の使用頻度情報に累積加算すればよく、更新処理が簡易であるという利点がある。後者の場合は、システム制御部１１２は使用時間をそのまま累積するのではなく、バックライトの輝度に対応する係数を使用時間にかけたものを累積する。後者の方法は、バックライトの劣化をより正確に評価できるという利点がある。なお、表示モードやユーザ設定や設置環境などによりバックライトの輝度が一律に調整される場合は、その調整値に基づいて上記係数を算出することができる。あるいは、映像によって動的に若しくは部分的にバックライトの輝度が変わる場合は、各フレームの映像データから上記係数を算出することもできる。
【００１９】
（バックライトの点灯制御）
図２を用いて液晶表示装置１０１のバックライトの点灯制御のフローについて説明する。なお、図２の処理はいずれのタイミングで行われてもよいが、バックライトが切り換わると表示映像の色や輝度が変わる可能性があるため、例えば、電源オン、映像入力の切換え、チャンネル切換え、シーンチェンジなどのタイミングで行うことが好ましい。
【００２０】
ステップＳ７０１において、システム制御部１１２は、記憶部１１０から光源候補記憶テーブルを読み出す。光源候補記憶テーブルとは、映像表示に使用可能な光源（バックライト）の種類が設定されているデータである。本実施例では、原則として、ＲＧＢバックライト１１４と白色バックライト１１５の両方が使用可能な光源の候補として設定されて
いる。ただし、一方のバックライトが使用不可の場合には、光源候補記憶テーブルには他方のバックライトのみが使用可能光源として設定されることもある。例えば故障や劣化により一方のバックライトが使用不可となった場合、ユーザ設定によりいずれかのバックライトのみを優先使用するような設定がなされた場合などが想定される。
【００２１】
ステップＳ７０２において、システム制御部１１２内のバックライト切換判定部１１７は、光源候補記憶テーブルの設定値に基づき、使用光源の決定処理を開始する。ＲＧＢバックライト１１４と白色バックライト１１５の両方が使用可能である場合は、ステップＳ７０３においてバックライト切換判定部１１７は、記憶部１１０から各バックライトの使用頻度情報を読み出し、それらを比較する。そして、ステップＳ７０４において、バックライト切換判定部１１７は、使用頻度が低いほうのバックライトを使用光源に決定する。一方、ステップＳ７０２において、ＲＧＢバックライト１１４か白色バックライト１１５の何れか一方のみが使用可能である場合は、バックライト切換判定部１１７は、使用可能なバックライトを使用光源に決定する（ステップＳ７０５、Ｓ７０６）。
【００２２】
ステップＳ７０７において、バックライト切換判定部１１７は、バックライト駆動部１１３に対し光源切換えを要求し、所望のバックライトの点灯を開始させる。ステップＳ７０８において、バックライト切換判定部１１７は、タイマー部１１１により、点灯させたバックライトの点灯時間の計測を開始する。
【００２３】
以上述べた本実施例の構成によれば、ＲＧＢバックライト１１４と白色バックライト１１５の両方が映像表示に使用可能な場合に、使用頻度が低いほうのバックライトが優先的に使用される。この点灯制御によりバックライトの使用頻度の偏りが低減され、その結果として一方のバックライトのみ劣化が進行することを防止できる。よって、長期にわたり高品質な映像表示が実現できる。
【００２４】
［実施例２］
次に本発明の実施例２について説明する。実施例２は、映像入力部ごとに使用可能なバックライトの種類が設定されており、映像入力部の切換え時に使用光源の決定と点灯制御を行う例である。なお、液晶表示装置の基本構成は実施例１（図１）のものと同様である。
【００２５】
（キャリブレーション）
まず液晶表示装置１０１とそれに接続する映像入力装置によるキャリブレーション動作について説明する。ここでキャリブレーションとは、液晶表示装置１０１が映像入力装置からの映像を可能な限り正しく色表示できるよう調整することをいう。映像入力装置としては、例えば、パーソナルコンピュータ、ゲーム機、デジタルカメラ、デジタルビデオカメラ、放送受信機、映像再生装置などが想定される。
【００２６】
図３は、液晶表示装置１０１、映像入力装置としてのパーソナルコンピュータ（ＰＣ（１）２０１、ＰＣ（２）２０２）、及びキャリブレーション時に用いる測色器２０３との接続構成を示す図である。
【００２７】
液晶表示装置１０１のキャリブレーションは映像入力部毎に個別に実施することが可能となっている。液晶表示装置１０１のシステム制御部１１２内のキャリブレーション制御部１１６と、各映像入力部に接続されたＰＣ２０１、２０２で実行されるキャリブレーション用ソフトウェアと、測色器２０３との協調動作により、キャリブレーションが実行される。以降、キャリブレーション時に動作するＰＣ（１）２０１、ＰＣ（２）２０２を総じて「キャリブレーションＰＣ」と表記する。
【００２８】
測色器２０３は液晶表示装置１０１の表示画面から、三刺激値と称されるＸ，Ｙ，Ｚの３つの値を測定し、その測定値をキャリブレーションＰＣへ出力する機能を有する。測色器２０３はキャリブレーション時に液晶表示装置１０１の表示面に設置して使用する。ＰＣ（１）２０１と液晶表示装置１０１のキャリブレーション時には測色器２０３とＰＣ（１）２０１を接続する。ＰＣ（２）２０２と液晶表示装置１０１のキャリブレーション時には測色器２０３とＰＣ（２）２０２を接続する。
【００２９】
図４はキャリブレーション動作時のキャリブレーションＰＣの動作フロー例、図５はキャリブレーション動作時の液晶表示装置１０１の動作フロー例を示す。図５の処理は、液晶表示装置１０１のシステム制御部１１２内のキャリブレーション制御部１１６によって実行される。本実施例では、キャリブレーション制御部１１６が本発明のキャリブレーション手段に対応する。
【００３０】
図４のステップＳ３０１において、キャリブレーションＰＣはキャリブレーション動作を開始し、液晶表示装置１０１に対しキャリブレーション目標値を送信する。キャリブレーション目標値は例えば輝度値、白色点、ガンマ値、色域範囲情報を含む。色域範囲情報とは液晶表示装置１０１が再現すべき色域（ＡｄｏｂｅＲＧＢやｓＲＧＢ等）の情報である。キャリブレーションＰＣはキャリブレーション目標値を送信した後、液晶表示装置１０１からのキャリブレーション準備完了通知の受信を待つ。液晶表示装置１０１とキャリブレーションＰＣとのデータ送受信はデータ送受信部１０８を介して行われる。本実施例ではデータ送受信部１０８にはＵＳＢ（Universal Serial Bus）を使用している。
【００３１】
図５のステップＳ４０１において、液晶表示装置１０１のキャリブレーション制御部１１６はキャリブレーション目標値を受信する。ステップＳ４０２において、キャリブレーション制御部１１６は、受信したキャリブレーション目標値と、記憶部１１０に予め格納されている光源候補選択テーブルに基づき、バックライトの光源候補を決定する。
【００３２】
図６に光源候補選択テーブルの例を示す。この例では、キャリブレーション目標値の中の輝度および色域範囲が光源候補の選択に利用される。例えばキャリブレーション目標値に含まれる輝度値が１００ｃｄ／ｍ２より小さく、色域範囲情報がＡｄｏｂｅＲＧＢの場合、光源候補を「ＲＧＢバックライト」に決定する。またキャリブレーション目標値に含まれる輝度値が１００〜４００ｃｄ／ｍ２の範囲内であり、色域範囲情報がＳＭＰＴＥ−Ｃの場合、光源候補を「ＲＧＢバックライト又は白色バックライト」に決定する。「ＲＧＢバックライト又は白色バックライト」は、２種類のバックライトの何れも使用可能であることを意味する。図６の例では、色域の広いＡｄｏｂｅＲＧＢに対してはＲＧＢバックライトが光源候補に設定され、高輝度の要求に対して白色バックライトが光源候補に設定される。そして、どちらのバックライトでも目標の輝度値と色域の表示が可能であると判断された場合には、２種類のバックライトが光源候補に設定される。
【００３３】
ステップＳ４０３において、キャリブレーション制御部１１６は、キャリブレーションＰＣに対し光源候補情報と共にキャリブレーション準備完了通知を送信する。
【００３４】
図４のステップＳ３０２において、キャリブレーションＰＣは液晶表示装置１０１からキャリブレーション準備完了通知を受信すると、以降、液晶表示装置１０１とともにキャリブレーション動作を実行する。ステップＳ３０３において、キャリブレーションＰＣはキャリブレーション実行時に用いるバックライト種別を指定する為のバックライト指示情報を送信する。キャリブレーションＰＣは液晶表示装置１０１から受信した光源候補情報が「ＲＧＢバックライト」の場合、ステップＳ３０４においてＲＧＢバックライトを用いたキャリブレーションを実行する。光源候補情報が「白色バックライト」の場合、ステップＳ３０４において白色バックライトを用いたキャリブレーションを実行する。光源候補
情報が「ＲＧＢバックライト又は白色バックライト」の場合は、ステップＳ３０４においてＲＧＢバックライトを用いたキャリブレーションと白色バックライトを用いたキャリブレーションを順番に実行する。
【００３５】
図５のステップＳ４０４において、キャリブレーション制御部１１６はキャリブレーションＰＣからバックライト指示情報を受信すると、ステップＳ４０５において、指示されたバックライトに切換える。ステップＳ４０６において、キャリブレーション制御部１１６はキャリブレーションＰＣからキャリブレーション実行要求を受信すると、ステップＳ４０７において、キャリブレーションＰＣと協働してキャリブレーションを実行する。
【００３６】
例えば、キャリブレーションＰＣから入力されるキャリブレーション用のパッチ画像を液晶表示装置１０１の画面に表示し、測色器２０３で測定を行い、測定値をキャリブレーションＰＣに入力する。キャリブレーションＰＣは目標値と測定値の差に基づいて調整値を計算し、パッチ画像の輝度または色を調整する。キャリブレーションＰＣは、この調整を、目標値と測定値の差が所定の閾値よりも小さくなるまで繰り返す。キャリブレーションにより求められた調整値は、キャリブレーションＰＣ内の記憶部または液晶表示装置１０１の記憶部１１０に格納される。
【００３７】
図４のステップＳ３０５において、キャリブレーションＰＣは全ての光源候補に対するキャリブレーションが完了したかを判定する。完了していれば、ステップＳ３０６において、キャリブレーションＰＣは液晶表示装置１０１にキャリブレーション完了通知を送信する。完了していなければ、ステップＳ３０３に戻り、他方のバックライトによるキャリブレーションを実行する。
【００３８】
図５のステップＳ４０８において、液晶表示装置１０１はキャリブレーション完了通知を受信すると記憶部１１０に記憶した光源候補記憶テーブルを更新する。図７に本実施例に適用可能な光源候補記憶テーブルの例を示す。光源候補記憶テーブルには、映像入力部ごとに、前述のキャリブレーション動作で決定した光源候補情報とキャリブレーション実行の有無とが記載される。図７の例では、映像入力部（１）に対するキャリブレーションは実行済みであり、光源候補は「ＲＧＢバックライト」に設定されている。一方、映像入力部（２）に対するキャリブレーションはまだ行われていない。そのような映像入力部（２）に対しては「ＲＧＢバックライト又は白色バックライト」が光源候補に設定される。
【００３９】
（バックライトの点灯制御）
本実施例では、映像入力部ごとに使用可能なバックライトの種類が設定されている。それゆえ、液晶表示装置１０１の電源オンまたは映像入力部の切換えのタイミングで、バックライトの点灯制御が行われる。点灯制御の具体的なフローは、実施例１（図２）のものと同様であるため、ここでは説明を省略する。
【００４０】
以上述べた本実施例の構成によれば、実施例１と同様、バックライトの使用頻度の偏りが低減され、その結果として一方のバックライトのみ劣化が進行することを防止できる。加えて、本実施例では、映像入力部ごとに光源候補を設定することとしたので、映像入力部の切換えに連動した簡易な処理で適切なバックライトを点灯させることができる。さらに、映像入力部ごとの光源候補がキャリブレーションの際に指定された目標値に応じて決定されるため、所望の輝度や色域での映像再現に影響の無い範囲で、使用頻度に応じた光源切換えを実施することができる。また、キャリブレーションが行われていない映像入力部が選ばれた場合は両方のバックライトを使用可能と判断するようにしたことで、使用頻度に応じた光源切換えの機会が増加し、光源の劣化の偏りをより低減できるものと期待できる。また、両方のバックライトが光源候補に設定された場合は、２つのバックライトについて個別にキャリブレーションが実行されるため、光源切換えによる映像再現の違いを
可及的に小さくすることができる。
【００４１】
［実施例３］
次に本発明の実施例３について説明する。実施例３は、画面表示を行っているアプリケーションの種別ごとに使用可能なバックライトの種類が設定されており、映像入力装置から取得したアプリケーション種別情報に基づき使用光源の決定と点灯制御を行う例である。なお、液晶表示装置の基本構成は実施例１（図１）のものと同様である。
【００４２】
液晶表示装置１０１はデータ送受信部１０８を介し、映像入力装置であるパーソナルコンピュータ（ＰＣ）からアプリケーション種別情報を受信する。アプリケーション種別情報とは、キャリブレーションＰＣが現在実行中のアプリケーション種別を特定可能な情報であり、例えば「画像ビューワ」、「画像エディタ」、「Ｗｅｂブラウザ」等である。ＰＣは複数のアプリケーションを実行中の場合は、最上位のウィンドウを表示しているアプリケーションをアプリケーション種別情報として送信する。
【００４３】
図８に本実施例に適用可能な光源候補記憶テーブルの例を示す。光源候補記憶テーブルには、ＰＣで動作するアプリケーション毎に、適切な光源候補情報が記載される。液晶表示装置１０１は、光源候補記憶テーブルをＰＣからデータ送受信部１０８を介し受信し、記憶部１１０に記憶する。
【００４４】
本実施例のバックライト切換判定部１１７は、ＰＣから受信したアプリケーション種別情報と、図８の光源候補記憶テーブルとを用いて、バックライトの点灯制御を行う。点灯制御の具体的なフローは、実施例１（図２）のものと同様である。例えばアプリケーション種別が画像エディタの場合は、ＲＧＢバックライトが使用される。アプリケーション種別が画像ビューワまたはＷｅｂブラウザの場合は、バックライト切換判定部１１７は、使用頻度の低いほうのバックライトを点灯させる。
【００４５】
なお、バックライト切換判定部１１７は、アプリケーション種別が未知の場合や、スクリーンセーバーやＯＳ（Operating System）の起動終了画面を表示中の場合は、ＲＧＢバックライトと白色バックライトのどちらでも使用可として取り扱うとよい。
【００４６】
以上述べた本実施例の構成によれば、実施例１と同様、バックライトの使用頻度の偏りが低減され、その結果として一方のバックライトのみ劣化が進行することを防止できる。よって、長期にわたり高品質な映像表示が実現できる。
【符号の説明】
【００４７】
１０７：液晶パネル、１１４：ＲＧＢバックライト（第２のバックライト）、１１５：白色バックライト（第１のバックライト）、１１０：記憶部、１１２：システム制御部、１１７：バックライト切換判定部
【図１】
0005634148.tif 000002
【図２】
0005634148.tif 000003
【図３】
0005634148.tif 000004
【図４】
0005634148.tif 000005
【図５】
0005634148.tif 000006
【図６】
0005634148.tif 000007
【図７】
0005634148.tif 000008
【図８】
0005634148.tif 000009